【事件の表示】
　特願２００７−　６１３１８「ワイヤレスコミュニケーションシステムにおけるＲＬＣリセット、或いは再構築後のタイマー処理方法」拒絶査定不服審判事件〔平成１９年　６月２８日出願公開、特開２００７−１６６６７３〕について、次のとおり審決する。
【結　論】
　本件審判の請求は、成り立たない。
【理　由】
１．手続の経緯と本願発明 
　本願は、平成１５年　６月２６日（パリ条約による優先権主張２００２年　８月１３日、（ＵＳ）米国）に出願した特願２００３−１８３２９５号の一部を平成１９年　３月１２日に新たな出願としたものであって、平成２２年　９月２７日付けで拒絶査定がなされ、これに対し、平成２３年　１月２０日付けで審判請求がなされたものである。
　特許請求の範囲の請求項１に係る発明（以下、「本願発明」という。）は、明細書及び図面の記載からみて、平成１９年　４月　１０日付け手続補正書によって補正された特許請求の範囲の請求項１に記載された以下のとおりのものと認める。 
　
　「【請求項１】
　ワイヤレスコミュニケーションシステムにおけるＴｉｍｅｒ＿Ｐｏｌｌ＿Ｐｒｏｈｉｂｉｔタイマーの処理方法であって、本方法は、
　ラジオリンク制御確認応答モード（以下、ＲＬＣ　ＡＭと呼ぶ）エンティティのために、前記Ｔｉｍｅｒ＿Ｐｏｌｌ＿Ｐｒｏｈｉｂｉｔタイマーを起動する工程と、
　前記ＲＬＣ　ＡＭエンティティを再構築する工程と、
　前記ＲＬＣ　ＡＭエンティティの再構築後、前記Ｔｉｍｅｒ＿Ｐｏｌｌ＿Ｐｒｏｈｉｂｉｔタイマーを停止する工程と、
　を備えることを特徴とする方法。」 
　 
２．引用発明 
　これに対して、原査定の拒絶理由に引用された3GPP TS25.322 V5.1.0(2002-06) 3rd Generation Partnership Project; Technical Specification Group Radio Access Network; Radio Link Control(RLC) protocol specification(Release 5)(２００２年　６月）には、「Radio Link Control(RLC) protocol specification」(無線リンク制御プロトコル仕様）（当審仮訳。以下も同様）として、以下の事項が記載されている。
 　
イ．「b) Timer_Poll_Prohibit.
This timer shall only be used when so configured by upper layers. It is used to prohibit transmission of polls within a certain period. The value of the timer is signalled by upper layers.
In the UE this timer shall be started when the successful or unsuccessful transmission of an AMD PDU containing a poll is indicated by lower layer. In UTRAN it should be started when an AMD PDU containing a poll is submitted to lower layer.
From the time a poll is triggered until the timer expires, polling is prohibited. If another poll is triggered while polling is prohibited, its transmission shall be delayed until the timer expires (see subclause 9.7.1). Only one poll shall be transmitted when Timer_Poll_Prohibit expires even if several polls were triggered in the meantime. This timer shall not be affected by the reception of STATUS PDUs.
When Timer_Poll_Prohibit is not configured by upper layers, polling is never prohibited.」（４４頁〜４５頁）
（ｂ）Timer_Poll_Prohibit
このタイマーは上位レイヤーによって形成されたときにのみ使用される。ある期間内、Pollの伝送を禁止するために使用される。タイマーの値は上位レイヤーによって通知される。
UE（User Equipment：ユーザー機器）において、Pollを含むAMD（Acknowledged Mode Data：確認応答モードデータ）PDU（Protocol Data Unit：プロトコルデータユニット）の成功又は不成功な伝送が下位レイヤーによって示されるときに、このタイマーはスタートされる。UTRAN（UMTS Terrestrial Radio Access Network)において、Pollを含むAMD PDUが下位レイヤーに提示されたときに、それはスタートされるべきである。
Pollがトリガーされるときからタイマーが満了するまで、ポーリングは禁止される。ポーリングが禁止されているときに他のPollがトリガーされる場合、タイマーが満了するまでその伝送は遅延される。（サブ条項9.7.1参照。）その間にいくつかのPollがトリガーされたとしても、Timer_Poll_Prohibitが満了したとき、唯一のPollが伝送される。このタイマーはSTATUS PDUの受信には影響されない。
Timer_Poll_Prohibitが上位レイヤーによって形成されないとき、ポーリングが禁止されることはない。）
　
ロ．「9.7.7 RLC re-establishment function for acknowledged and unacknowledged mode
The upper layers may re-establish an RLC entity.
The RLC re-establishment function is applicable for AM and UM and is used when upper layers request an RLC entity to be re-established.
When an RLC entity is re-established by upper layers, the RLC entity shall:
- reset the state variables to their initial value;
- set the configurable parameters to their configured value;
- set the hyper frame number (HFN) in UL and DL to the value configured by upper layers;
- if the RLC entity is operating in unacknowledged mode:
 - if it is a receiving UM RLC entity:
  - discard all UMD PDUs;
 - if it is a transmitting UM RLC entity:
  - discard the RLC SDUs for which one or more segments have been submitted to a lower layer;
- otherwise if the RLC entity is operating in acknowledged mode:
 - discard all AMD PDUs and control PDUs in both the receiving side and the transmitting side of the RLC entity.
NOTE: If the TFC selection exchange has been initiated by sending the RLC Entity Info parameter to MAC, the RLC entity may delay the re-establishment function until the end of the next TTI.」（５２頁〜５３頁）
（9.7.7 確認応答モード及び非確認応答モードに対するRLC再構築機能
上位レイヤーはRLCエンティティを再構築することができる。
上位レイヤーがRLCエンティティに再構築を要求するとき、RLC再構築機能はAM（確認応答モード）及びUM（非確認応答モード）に適用可能である。
上位レイヤーによってRLCエンティティが再構築されるとき、RLCエンティティは次のことを行う。
−状態変数をその初期値にリセットする。
−設定可能なパラメーターをその設定された値にセットする。
−UL(アップリンク)及びDL（ダウンリンク）におけるハイパーフレーム番号（HFN）を上位レイヤーに設定された値にセットする。
−RLCエンティティが非確認応答モードで動作している場合に、
　−受信UM（非確認応答モード）RLCエンティティである場合には、
　　−全てのUMD PDUを破棄する。
　−送信UM（非確認応答モード）RLCエンティティである場合には、
　　−１つ以上のセグメントが下位レイヤーに提示されたRLC SDU（サービスデータユニットを破棄する。
−その他、RLCエンティティが確認応答モードで動作している場合には、
　−RLCエンティティの受信側及び送信側の両側において、全てのAMD PDU及び制御PDUを破棄する。
注：RLCエンティティのInfoパラメーターをMAC（Media Access Contorol)に送信することによりTFC(Transport Format Combination）選択の交換が起動されている場合には、RLCエンティティは次のTTI（Transmission Time Interval：送信間隔）の終わりまで再構築を遅らせることができる。）
　
　上記引用例の記載を参照すると、同引用例に記載された構成は、その表題等から、無線アクセスネットワークの技術仕様に関するものであって、無線リンク制御プロトコルの仕様に係わるものであることは明らかであるから、無線通信システムにおいて利用されるものである。
　また、上記イ．の記載から、上記引用例には「Timer_Poll_Prohibit」というタイマーを動作する方法が記載されており、同イ．「In the UE this timer shall be started when the successful or unsuccessful transmission of an AMD PDU containing a poll is indicated by lower layer.」という記載から、「Timer_Poll_Prohibit」タイマーは、確認応答モードにおいて起動されるものであり、同ロ．「・・・the RLC entity is operating in acknowledged mode・・・」等の記載から、「RLC（ラジオリンク制御）」エンティティが確認応答モードで動作するためのものである。
　さらに、上記ロ．「The upper layers may re-establish an RLC entity.」、「The RLC re-establishment function is applicable for AM and UM and is used when upper layers request an RLC entity to be re-established.」という記載から、上記引用例には、「RLCエンティティ」を「再構築する」機能であって、「RLCエンティティ」の「AM（確認応答モード）」に対し「再構築する」機能が記載されている。
　そして、上記ロ．「When an RLC entity is re-established by upper layers, the RLC entity shall:　・・・
- otherwise if the RLC entity is operating in acknowledged mode:
 - discard all AMD PDUs and control PDUs in both the receiving side and the transmitting side of the RLC entity.」という記載から、「AM（確認応答モード）」に対し「再構築する」機能が実行されたとき、「RLCエンティティ」において「AMD PDU」等が破棄されるから、「Timer_Poll_Prohibit」タイマーが起動される段階の後に、「再構築する」段階が生ずることがあり得ることは明らかである。
　したがって、上記引用例の記載及びこの分野の技術常識によれば、同引用例には、以下の発明（以下、「引用発明」という。）が記載されている。 
　
　「無線通信システムにおけるＴｉｍｅｒ＿Ｐｏｌｌ＿Ｐｒｏｈｉｂｉｔタイマーを動作させる方法であって、
　確認応答モード（ＡＭ）で動作するラジオリンク制御（ＲＬＣ）エンティティのために、前記Ｔｉｍｅｒ＿Ｐｏｌｌ＿Ｐｒｏｈｉｂｉｔタイマーを起動する段階と、
　前記ＡＭで動作するＲＬＣエンティティを再構築する段階と、
を備える方法。」
　
３．対比 
　本願発明と引用発明を比較すると、引用発明の「無線通信システム」、「確認応答モード（ＡＭ）で動作するラジオリンク制御（ＲＬＣ）エンティティ」は、本願発明の「ワイヤレスコミュニケーションシステム」、「ラジオリンク制御確認応答モード（ＲＬＣ　ＡＭ)エンティティ」にそれぞれ相当する。　引用発明の「起動する段階」、「再構築する段階」は本願発明の「起動する工程」、「再構築する工程」と実質的な差違はなく、引用発明の「動作させる方法」と本願発明の「処理方法」はいずれも「タイマー」の動作を制御するものであって、実質的な差違はない。。
　したがって、本願発明と引用発明は、以下の点で一致ないし相違する。
　
＜一致点＞ 
　「ワイヤレスコミュニケーションシステムにおけるＴｉｍｅｒ＿Ｐｏｌｌ＿Ｐｒｏｈｉｂｉｔタイマーの処理方法であって、本方法は、
　ラジオリンク制御確認応答モードエンティティのために、前記Ｔｉｍｅｒ＿Ｐｏｌｌ＿Ｐｒｏｈｉｂｉｔタイマーを起動する工程と、
　前記ＲＬＣ　ＡＭエンティティを再構築する工程と、
　を備えることを特徴とする方法。」 
　
＜相違点＞ 
　本願発明は「Ｔｉｍｅｒ＿Ｐｏｌｌ＿Ｐｒｏｈｉｂｉｔタイマーの処理方法」として「前記ＲＬＣ　ＡＭエンティティの再構築後、前記Ｔｉｍｅｒ＿Ｐｏｌｌ＿Ｐｒｏｈｉｂｉｔタイマーを停止する工程」を有するのに対し、引用発明は当該工程を有しておらず、「前記ＲＬＣ　ＡＭエンティティの再構築後」に「Ｔｉｍｅｒ＿Ｐｏｌｌ＿Ｐｒｏｈｉｂｉｔタイマー」をどのように「処理」するのか不明である点。
　
４．検討 
　上記相違点について検討すると、上記「２．引用発明」のロ．「When an RLC entity is re-established by upper layers, the RLC entity shall:　- reset the state variables to their initial value;」、「- otherwise if the RLC entity is operating in acknowledged mode:　 - discard all AMD PDUs and control PDUs in both the receiving side and the transmitting side of the RLC entity.」という記載から、「再構築する」ことによって、状態変数が初期値にリセットされ、あるいは、送信側及び受信側のRLCエンティティにおいて、すべてのAMD（確認応答モードデータ）のPDU（プロトコルデータユニット）が破棄されることから、RLCエンティティが初期状態のような状態になることが明らかである。
　すると、初期状態のような状態になった際に、確認応答のためのPoll信号の制御を継続して行う必要性は乏しく、Poll信号の制御に関する稼働中のタイマーを停止することは、当業者にとって極めて普通の処理方法であるから、引用発明において「再構築後」に「Ｔｉｍｅｒ＿Ｐｏｌｌ＿Ｐｒｏｈｉｂｉｔタイマー」を停止することは、当業者が適宜なし得ることである。
　また、本願発明の作用効果も引用発明から当業者が予測できる範囲のものである。 
　
５．むすび 
　以上のとおり、本願発明は、上記引用例に記載された発明に基づいて、当業者が容易に発明をすることができたものと認められるから、特許法第２９条第２項の規定により特許を受けることができない。 
　
　よって、結論のとおり審決する。